(57)【特許請求の範囲】
【請求項１】
イベント用発光具の発光部であって、  前記発光部は内側に使用者が任意の装飾具を挿入するための空間を有する本体部を有し、  前記本体部は、２つ以上の部品から構成され、これらの部品は相互に当接する接着部を有し、  前記２つ以上の部品が前記接着部において当接して１つの発光部が形成され、  前記発光部は、前記２つ以上の部品が前記接着部において当接した状態を維持する維持手段を有し、 前記本体部の内側に前記装飾具を保持するための装飾具保持手段を備える ことを特徴とする、イベント用発光具の発光部。
【請求項２】
前記装飾具保持手段は独立または連結した２枚のシート状部材を備え、前記装飾具が前記２枚のシート状部材の間で保持され該装飾具が外側から視認される、請求項１に記載のイベント用発光具の発光部。
【請求項３】
前記装飾具保持手段は、フレームと該フレームの内側全面に張られた透明シートを備える２つの部品から構成され、前記装飾具が前記２つの透明シートの間で保持される請求項１に記載のイベント用発光具の発光部。
【請求項４】
前記装飾具保持手段は、前記装飾具が内側に挿入され該装飾具が外側から視認されるケースである請求項１に記載のイベント用発光具の発光部。
【請求項５】
前記発光部に対する前記シート状部材の取り付けを補助するための補助溝が前記本体部の内側下部に設けられた請求項２に記載のイベント用発光具の発光部。
【請求項６】
前記装飾具を前記装飾具保持手段に更に固定する固定部材であって、前記装飾具保持手段に着脱自在に取り付けられる固定部材を有する請求項２又は４に記載のイベント用発光具の発光部。
【請求項７】
前記接着部は、前記部品のうちの１つの部品の接着部が他の部品の接着部に重なるように構成された請求項１〜６のいずれか一項に記載のイベント用発光具の発光部。
【請求項８】
前記維持手段は、前記本体部を構成する２つ以上の部品のいずれかの箇所を留めるように構成される、請求項１〜７のいずれか一項に記載のイベント用発光具の発光部。
【請求項９】
前記本体部は前記イベント用発光具の把持部に対して着脱可能である接合部を有し、前記維持手段はリング形状を有し、前記接合部に嵌められるように構成された請求項１〜８のいずれか一項に記載のイベント用発光具の発光部。
【請求項１０】
前記発光部の前記接着部が不透明である請求項１〜９のいずれか一項に記載のイベント用発光具の発光部。
【請求項１１】
前記本体部が略ハート形状を有し、前記シート状部材が前記形状に対応する形状を有する請求項２又は５に記載のイベント用発光具の発光部。
【請求項１２】
前記本体部を構成する２つ以上の部品が連結された請求項１〜１１のいずれか一項に記載のイベント用発光具の発光部。
【請求項１３】
前記本体部に下部蓋を設けた請求項１〜１２のいずれか一項に記載のイベント用発光具の発光部。
【請求項１４】
請求項１〜１３のいずれか一項に記載の発光部を用いたイベント用発光具。
【請求項１５】
請求項２、５又は１１のいずれか一項に記載の発光部のためのシート状部材。
【請求項１６】
請求項１〜１２のいずれか一項に記載の発光部のための本体部。
【請求項１７】
前記発光部に台座が取り付けられた、請求項１〜１２のいずれか一項に記載の発光部のための本体部。
【発明の詳細な説明】
【技術分野】
【０００１】
本発明は、コンサートや各種イベントなど（本明細書において、総称して「イベント」という）で主に観客や参加者が用いるペンライト、スティックライトなどの発光器具（本明細書において、「イベント用発光具」と称する。本発明における「イベント用発光具」はこのような発光器具全般を指す。）に関する。より具体的には、このようなイベント用発光具の発光部およびこれを用いたイベント用発光具に関する。なお、本発明の発光部の形状は、ペン型や棒状のものに限られず、例えば、ハート型、円盤状、その他の形状が含まれる。
【背景技術】
【０００２】
近年のイベントの特色の一つとして、観客がイベント用発光具を発光させてイベントに参加し、出演者と共にイベントを盛り上げたり楽しんだりすることが挙げられる。例えば、複数のメンバーが在籍するアイドルグループのイベントにおいては、観客（イベント参加者）は、自己が応援するメンバーが舞台に登場したときに、そのメンバーのイメージカラーでイベント用発光具を発光させて応援するといったことを行う。
【０００３】
上記のようなイベントの場合、主催者側がアイドルグループやメンバーの名前が入ったイベント用発光具を作成し販売するといったことも行われている。これは、自己が応援するアイドルやアイドルグループ、そのメンバーなどのグッズ（本発明との関連では、特別のイベント用発光具）を手にしたいというイベント参加者の需要に応える側面を有している。イベントの各参加者は、事前に又はイベント会場においてこれらのイベント用発光具を購入することが多い。
【０００４】
もっとも、イベント用発光具の使用者（ユーザー）としては、上記のような特別なイベント用発光具であれ、通常のイベント用発光具であれ、その外観等を、更に自己の好みに合うように変更し、独自の装飾（カスタマイズ）を施せると便宜である。
【０００５】
イベント用発光具は、通常、ＬＥＤ等の光源を有する持ち手部分（把持部）と、光源からの光を集めて発光させる発光部とから構成されている。かかるイベント用発光具の外側にユーザーがシールやステッカーを貼ることなどによりカスタマイズすることも考えられるが、発光部をむやみに加工すると光を遮断してしまうので、ユーザー自身がこれを加工することは難しく、あるいは多くの制約を受けることとなる。一方、把持部の表面に手を加えても、この部分は手で握られるため目に触れにくく、また加工した箇所が傷んでしまう。
【０００６】
例えば、この発光部の内側にシート状部材を挿入し、これに光源からの光を当てて発光させるタイプのイベント用発光具がある（一例として特許文献１。カバー装飾用一体シート参照）。この場合、ユーザーとしては、このシート状部材に加工を施したり、シート状部材自体を取り替えたりして、イベント用発光具を独自の仕様に変更することが考えられる。
【０００７】
しかし、発光部は製造時において把持部に対し取り外し困難なように取り付けられることも少なくない。また、把持部は円の直径が２０ｍｍ〜３０ｍｍ程度の円筒形状であり、把持部に対する発光部の取り付け部分もこれに対応した大きさ、形状となる（通常、上記直径よりも小さい円となる）。そのため、仮に発光部を把持部から取り外せたとしても、発光部の中にシート状部材を入れたり出したりすること自体が容易ではない。
【０００８】
更に、イベント用発光具は手に持って振って使用する。従って、ユーザーが発光部を自分で外し、再度取り付けて使用するような場合は、イベント用発光具の使用中に発光部やその中のシート状部材が外れたり飛んだりするおそれも生じる。しかし、そのような事態は、特に安全面から回避されなければならない。
【０００９】
このように、ユーザーがシート状部材を取り替えることによりイベント用発光具に対して独自に装飾を施すことにも、多くの問題が存在する。
【００１０】
ところで、イベント用発光具において、発光部の内側には一定の空間が存する。把持部に光源が設けられる一般的なイベント用発光具においては、光源からの発光が遮られないようにするため、通常、この空間には（後述のシート状部材を用いる場合はこれが挿入されるが、それ以外は）何も挿入されない。これは、発光部の内側に、シート状部材以外のもの、特に固定されないものを個々のユーザーが挿入することは、安全面の問題が生じることや、イベントでは禁止される雑音を使用時に生じさせるおそれが高いことにもよる。
【００１１】
以上のような点から、発光部内部の空間にシート状部材以外の装飾物を収納することは、従来考えられてこなかった。
【先行技術文献】
【特許文献】
【００１２】
【特許文献１】特許第６２０４６２５号
【発明の概要】
【発明が解決しようとする課題】
【００１３】
本発明は、以上の点に鑑みてなされたものであり、イベント用発光具につき、各ユーザーが発光部において独自の装飾を施すことができる構成を提供することを課題としてなされたものである。
【課題を解決するための手段】
【００１４】
上記課題を解決するため、本発明は、
第１の側面として、    
イベント用発光具の発光部であって、
前記発光部は内側に空間を有する本体部を有し、
前記本体部は、２つ以上の部品から構成され、これらの部品は相互に当接する接着部を有し、
前記２つ以上の部品が前記接着部において当接して１つの発光部が形成され、
前記発光部は、前記２つ以上の部品が前記接着部において当接した状態を維持する維持手段を有する
ことを特徴とする、イベント用発光具の発光部
を提供する。
【００１５】
第２の側面として、本発明は、  
前記発光部は、光源から発光される光が当てられて透過するシート状部材を有し、
前記本体部は一部または全部が透明の部材から構成され、
前記シート状部材が前記本体部の内側に取り付けられ、前記シート状部材を透過した前記光が前記本体部を透過するように構成される、上述のイベント用発光具の発光部
を提供する。
【００１６】
第３の側面として、本発明は、  
前記発光部に対する前記シート状部材の取り付けを補助するための補助溝が前記本体部の内側下部に設けられた上述のイベント用発光具の発光部
を提供する。
【００１７】
第４の側面として、本発明は、  
前記本体部の内側に装飾具を保持するための装飾具保持手段を備える上述のイベント用発光具の発光部
を提供する。
【００１８】
第５の側面として、本発明は、  
前記装飾具保持手段は複数のパーツから構成され、これらのパーツは少なくとも２つのパーツの一部が相互に当接し、当接した前記パーツの間に装飾具が配置され保持されるように構成された上述のイベント用発光具の発光部
を提供する。
【００１９】
第６の側面として、本発明は、  
前記接着部は、前記部品のうちの１つの部品の接着部が他の部品の接着部に重なるように構成された上述のイベント用発光具の発光部
を提供する。
【００２０】
第７の側面として、本発明は、  
前記維持手段は、前記本体部を構成する２つ以上の部品のいずれかの箇所を留めるように構成される、上述のイベント用発光具の発光部
を提供する。
【００２１】
第８の側面として、本発明は、  
前記本体部は前記イベント用発光具の把持部に対して着脱可能である接合部を有し、前記維持手段はリング形状を有し、前記接合部に嵌められるように構成された上述のイベント用発光具の発光部
を提供する。
【００２２】
第９の側面として、本発明は、
前記発光部の前記接着部が不透明である上述のイベント用発光具の発光部
を提供する。
【００２３】
第１０の側面として、本発明は、  
前記本体部が略ハート形状を有し、前記シート状部材が前記形状に対応する形状を有する上述のイベント用発光具の発光部
を提供する。
【００２４】
第１１の側面として、本発明は、  
前記本体部を構成する２つ以上の部品が連結された上述のイベント用発光具の発光部
を提供する。
【００２５】
第１２の側面として、本発明は、
前記本体部に下部蓋を設けたイベント用発光具の発光部
を提供する。
【００２６】
第１３の側面として、本発明は、  
上述の発光部を用いたイベント用発光具
を提供する。
【００２７】
第１４の側面として、本発明は、  
上述の発光部のためのシート状部材
を提供する。
【００２８】
第１５の側面として、本発明は、  
上述の発光部のための本体部
を提供する。
【００２９】
第１６の側面として、本発明は、  
前記発光部に台座が取り付けられた、上述の発光部のための本体部
を提供する。
【発明の効果】
【００３０】
本発明によれば、各ユーザーが自己のイベント用発光具につき発光部の内部に独自の装飾を施すことが容易にできるものとなる。
【図面の簡単な説明】
【００３１】
【図１】本発明の一実施例におけるイベント用発光具の発光部を示す図である。
【図２】本発明の一実施例におけるイベント用発光具の発光部を示す図である。
【図３】本発明の一実施例におけるイベント用発光具の発光部を示す図である。
【図４】本発明における維持手段の一例を示す図である。
【図５】本発明における維持手段の一例を示す図である。
【図６】本発明の一実施例におけるイベント用発光具の発光部の内部に、装飾具を入れた状態の一例を示す図である。
【図７】本発明における下部蓋の一例を示す図である。
【図８】本発明の他の実施例におけるイベント用発光具の発光部を示す図である。
【図９】本発明における装飾具維持手段の一例を示す図である。
【図１０】本発明における装飾具維持手段の一例を示す図である。
【図１１】本発明における台座の一例を示す図である。
【図１２】本発明における装飾保持手段の一例を示す図である。
【図１３】本発明における装飾保持手段の一例を示す図である。
【図１４】本発明における装飾保持手段の一例を示す図である。
【図１５】本発明における装飾保持手段の一例を示す図である。
【図１６】本発明の一実施例におけるイベント用発光具の発光部を示す図である。
【図１７】本発明の一実施例におけるイベント用発光具の発光部を示す図である。
【図１８】本発明の一実施例におけるイベント用発光具の発光部を示す図である。
【図１９】本発明の一実施例におけるイベント用発光具の発光部を示す図である。
【発明を実施するための形態】
【００３２】
以下、本発明に係る実施形態を、図面を参照しながら具体的に説明する。
【００３３】
（実施例１）
図１に本実施例のイベント用発光具の発光部の一例を示す。なお、発光部自体を有色とすることができる。
【００３４】
一般に、イベント用発光具は、発光部（発光する部分）と把持部（手で持つ部分）とから構成される。把持部の内側上部に光源（ＬＥＤなど）が配され、光源から発光部側に向けて発せられる光が発光部の内側を照らすことにより、発光部において発光を得る。発光部本体（以下「本体部」という。）は、内側に一定の大きさの空間が存する。把持部に光源が設けられる一般的なイベント用発光具においては、光源からの発光が遮られないようにするため、通常、この空間には（後述のシート状部材を用いる場合はこれが挿入されるが、それ以外は）何も挿入されない。
【００３５】
本発明においても、発光部と把持部を有するイベント用発光具に係る。なお、本実施例の発光部の本体部（１）は、把持部（２）に対して着脱可能である接合部（３）を有している。イベント用発光具を使用しているときに、本体部（発光部）が把持部から外れると危険であることから、本体部が把持部に取り付けられたとき、誤って容易に外れるようなことがないよう、固定される必要がある。着脱可能な構成とするには、例えばワンタッチ式の構造で接合部が把持部に着脱可能に接合することも考えられるが、本体部が把持部に強固に固定されるための構成としては、接合部を雄螺子とし、把持部に雌螺子を設けるようにするのが好適である。図１においては、そのような構成の接合部が示されている。
【００３６】
従来の発光部は、製造後の状態においては単体であり、それ自体をユーザーがいくつかの部分に分離すること等はできない構成である。これに対し、本発明の本体部は、２つ以上の部品から構成される。これらの部品は、図１や図２に示されるように、相互に対称的な形状（ここでは２つの部品４、５）となるように形成される。また、図３に示されるように、部品（６）、部品（７）は、相互に非対称的な形状となるように形成されてもよい。
【００３７】
更に、これらの部品は、図１６、図１７に示されるとおり３つ以上から構成されてもよい。図１６は本体部が３つの部品（４９、５０、５１）から構成される場合の一例であり、図１７は本体部が４つの部品（５２、５３、５４、５５）から構成される場合の一例である。
【００３８】
以下においては、２つの部品から構成される場合を例にして説明する。図２を参照し、本体部を形成する２つの部品は相互に当接する接着部（８、９）を有する。すなわち、本実施例においては、２つの部品が接着部において当接して１つの発光部が構成される。図２（Ａ）に示されるとおり、接着部（８）は部品（４）の長手方向の縁に沿って設けられている。もう一方の部品（５）は背面から示されており接着部が表れていないが、部品（４）の接着部（８）と同様の位置に接着部（９）が設けられる。
【００３９】
同様に、図３（Ｂ）に示されるとおり、接着部（４４）は部品（７）の円周方向の縁に沿って設けられている。もう一方の部品（６）は接着部が表れていないが、部品（７）の接着部（４４）に当接する位置に接着部（４５）が設けられる。なお、本体部の形状は適宜選択することができる。
【００４０】
接着部は、図２（Ｂ）（Ｃ）に示されるように、本体部を形成する２つの部品の一方の接着部（１０）が他方の部品の接着部（１１）に重なるように構成することができる。図２（Ｂ）は２つの部品を分離した状態を表し、図２（Ｃ）はこれらを組み合わせて１つの発光部を形成した状態を表している。図２（Ｃ）においてＡ−Ａ’線切断部端面図（接着部（１０、１１）どうしの部分拡大図）が、図２（Ｄ）に示されている。このように構成すると、両部品が接着部において当接したときに、その状態（両部品が当接ないし接着して１つの発光部が形成された状態）が保たれやすくなり、好適である。
【００４１】
更に、本発明の発光部は、本体部を構成する２つの部品が接着部において当接した状態を確実に維持するための維持手段を有する。維持手段は、本体部を構成する２つの部品のいずれかの箇所を留めるものである。維持手段の一例として、本体部を構成する２つの部品が突起を有するものとし、この突起を留めるように構成することができる。維持手段の一例を図４に示す。維持手段は、図４（Ａ）の維持手段（１２）につき図４（Ｂ）で示されるように、スライド式（図中の矢印の方向にスライドさせて留める）とすることができる。維持手段の他の構成として、例えば図４（Ｃ）に示されるように、ねじ留め（螺合）式（図中の矢印の方向に回して螺合させる）とすることができる。なお、ねじ留め式は、図１７に示されるように、本体部の突起（５７）に螺子穴を設け、ここに螺子（５６）をねじ込んで留めるように構成することもできる。また、図１９（本体部を構成する部品は４つ）に示されるように、本体部の凹部（６２）に螺子穴を設け、ここに螺子（５６）をねじ込んで留めるように構成することもできる。
【００４２】
また、維持手段は、図４（Ｄ）に示されるように、孔の設けられたプレートを用い、これを凸部に嵌め込む（図中の矢印の方向に嵌め込む）ように構成することもできる。更に、図４（Ｃ）と（Ｄ）の組み合わせとして、図４（Ｅ）に示されるように、孔の設けられたプレートを凸部に嵌め込み、更に螺合されるように構成することもできる。
【００４３】
維持手段は図４（Ａ）では側面に計２つ設けられているが、維持手段の位置や個数はこれに限られず、本体部の形状等を考慮し適宜決することができる。例えば、図４（Ｆ）に示されるように、図４（Ｃ）のねじ留め式の維持手段（３８）を本体部上部の１か所に設けることもできる。
【００４４】
維持手段の形状には装飾を加えることもできる。例えば図８において、維持手段（２５）の螺合の部分（２４）は羽根形に形成されている。
【００４５】
なお、本発明のイベント用発光具（後述の図１１に示される台座（１５）を取り付けた発光部）を鞄等に吊り下げるための吊り下げ手段を、維持手段に設けてもよい。図８（Ｃ）に吊り下げ手段（４６）の一例を示す。この例においては、維持手段（２５）に孔を設け、この孔にチェーンを取り付けている。
【００４６】
維持手段の別の例を図５に示す。この例の維持手段（１３）はリング形状を有し、接合部に嵌めるものとしている。前述のとおり、イベント用発光具を使用しているときに、本体部（発光部）が把持部から外れると危険であり、本体部（発光部）と把持部は、（着脱可能としつつも）取り付けられた状態が着実に維持される必要がある。しかし、仮に本体部が把持部から外れた場合においても、この維持手段により接合部が固定されていれば、本体部が２つの部品に容易に分離したり、それにより本体部の内部に挿入された装飾物が飛び出したりするのを防ぐことができる。
【００４７】
上述のとおり、維持手段は一つの発光部に複数設けることができる。例えば、図４（Ａ）のように同様の維持手段を複数設けてもよいし、図４（Ｃ）の維持手段（１つでも複数でもよい）と、図５の維持手段（１３）とも用いるようにしてもよい。他にも適宜組み合わせたり選択したりすることができる。
【００４８】
発光部をこのように構成すると、イベント用発光具の使用者は、把持部から発光部を取り外し、発光部の内側に装飾具を入れることが可能となる。すなわち、従来の発光部の場合、それ自体を複数の部分に分離できない構成であって、仮に発光部が把持部から取り外し可能であったとしても、発光部の接合部は把持部に対応した形状、大きさであり、開口した部分（開口部）は２０ｍｍ程度の円形であるため、これより大きい物や装飾具を発光部の内側に挿入することが不可能又は困難である。これに対し、本発明によれば、発光部を把持部から取り外し、かつ、２つの部品に分離させることができるため、上記開口部よりも大きなものであっても、発光部の内側に入るものであれば、これを挿入することが容易に可能となる。
【００４９】
しかも、本発明によれば、発光部において装飾具が挿入された状態を、確実に保持することが可能となる。
【００５０】
かかる本発明によれば、使用者は、例えばイベント用発光具をイベントで使用しないときも、発光部の内側に自己の好みの装飾具（一例として、ぬいぐるみ、缶バッチ、写真、アクリルプレートなど）を挿入して楽しむことが可能となる。図６に、本発明の発光部（１）の内側に装飾具（１４）を挿入した状態の一例を示す。
【００５１】
発光部の内側に装飾具を挿入したイベント用発光具は、机の上などにおいて飾ることもできるし、留め具を用いて鞄に下げるなどすることもできる。そのような場合には、本体部の接合部に、把持部に代えて、一例として図１１に示されるような台座（１５）を取り付けるようにしてもよい。
【００５２】
イベント用発光具をイベント会場で使用する時には、必要に応じ、装飾具を挿入したまま、あるいは挿入した装飾具を取り出して通常通り使用することができる。
【００５３】
なお、本体部に着脱可能な下部蓋を設けるように構成することもできる。一例として、図７（Ａ）に下部蓋（１７）を示す。図７（Ｂ）は下部蓋を設ける前の本体部（１６）を示しており、図７（Ｃ）（Ｄ）は下部蓋（１７）を、本体部の接合部の近辺に取り付けた状態を示している。これによると、発光部の内側にスパンコールのような小片の装飾具を入れたり、ミニチュアのジオラマ（情景模型）のように土台が必要となる装飾具を入れたりすることが可能となる。
【００５４】
本実施例においては、本体部を形成する部品が２つの部品から構成される場合を例にして説明したが、３つ以上でも可能であることは前述のとおりである。また、複数の部品は、相互に着脱可能とすることができ、個々の部品が完全に分離することもできるが、個々の部品が完全に分離されなくてもよい。例えば図１８に示されるように、各部品の一部（符号５８で示す）が連結（分離できないような連結も含む）されていてもよい。本発明においては、このような場合も部品は複数と捉える。例えば図１８では、本体部（６１）を構成する部品（５９、６０）は２つとなる。
【００５５】
（実施例２）  
本発明は、一部または全部が透明な発光部の内側に有色のシート状部材を挿入し、これに光源からの光を当てて発光させるタイプのイベント用発光具においても適用が可能である。発光部の形状は種々選択することができるが、本発明の他の実施例として、発光部の本体部をハート型の形状としたものを例に用いて説明する。
【００５６】
図８（Ａ）に示されるように、本体部（２０）はハート型の部品（１８）、部品（１９）が前後に分離するものとなるように構成される。この本体部（２０）の内側に、略ハート形状（本体部の下部の形状に合わせるため完全なハート型ではない）のシート状部材（２１、２２）が収納される。
【００５７】
本体部には、シート状部材の取り付けを補助するための補助溝（２３）を内側下部に設けることもできる。補助溝（２３）は溝を形成するものであり、略ハート形状のシート状部材（２１、２２）の下部をこの補助溝に載せるようにすると、同シート状部材の下部が溝に配されることによりシート状部材が本体部に取り付けられやすくなり、また発光部の中でシート状部材が動きにくくなるため、好適である。
【００５８】
なお、図１２（Ｂ）に示されるように、２枚のシート状部材は連結部材（４１）により連結されてもよい。連結部材を有すると、ユーザーがシート状部材を本体部（２０）に配置しやすいものとなる。更に、シート状部材を図１４（Ａ）に示されるように１枚（符号４３で示されている）で形成してもよい。
【００５９】
接着部及び接合部は、スモークをかけるなど不透明とし（すりガラス状にするなど、透光性を有してよい）、これらの部分から光が漏れることを防止するように構成することもできる。
【００６０】
接合部、接着部、維持手段等は、実施例１において記載した点と同様である。
【００６１】
ハート型の部品（１８）、部品（１９）を当接させて本体部（２０）を形成し、把持部（２）に接合した状態のイベント用発光具が図８（Ｂ）に示されている。
【００６２】
なお、上述のとおり、維持手段は、複数の部品が当接したときにその当接（ないし接着）の状態が保持されやすい箇所に設けるのが好適である。本実施例においては、一例として、本体部がハート型であることを考慮し、維持手段（２４、２５）は発光部上部の２か所に設けられている。これにより、ハート型の本体部を形成する２つの部品（１８、１９）は接着状態が維持されやすいものとなる。
【００６３】
従来であれば、発光部をハート型とする場合は、製造後の状態においては単体となり、それ自体をユーザーがいくつかの部分に分離すること等はできない構成である。略ハート型のシート部材は、イベント用発光具の製造時に発光部に挿入される。ユーザーは、仮に本体部を把持部から取り外すことができたとしても、本体部の接合部付近の開口部が小さい（２０ｍｍ程度の円形）ため、ハート型のシート状部材を発光部の内側から取り出して別の（好みの）シート状部材を入れ替えるようなことが困難である。これに対し、本発明によれば、ユーザーが発光部（２０）を把持部（２）から取り外し、かつ、部品（１８）、部品（１９）に分離させることができるため、開口部（２６）よりも大きなものであっても、発光部（２０）の内側に出し入れすることが容易である。すなわち、製造時（購入時）に取り付けられていたシート状部材を、ユーザー自身の手で、好みのもの、独自のものと取り換えることが容易に可能となる。
【００６４】
しかも、本発明によれば、発光部において装飾具が挿入された状態を、維持手段により確実に保持することが可能となる。
【００６５】
本実施例においても、イベント用発光具をイベントで使用しないときに、発光部の内側に自己の好みの装飾具（一例として、ぬいぐるみ、写真、缶バッチ、アクリルプレートなど）を挿入して楽しむことが可能である。発光部の内側に装飾具を挿入したイベント用発光具は、机の上などにおいて飾ることもできるし、吊り下げ手段を用いて鞄に下げるなどすることもできる。その際に台座を用いることもできる。
【００６６】
なお、本実施例の発光部においても、実施例１と同様、下部蓋を適宜設けることができる。
【００６７】
（実施例３）  
本発明においては、発光部の内側に挿入する装飾具につき発光部内部で保持する装飾具保持手段を設けることができる。
【００６８】
本実施例においては、実施例２のハート型の発光部（２０）において、いわゆるアクリルキーホルダーやアクリルスタンドなどにおいて用いられるアクリルプレート（アクリル樹脂製のプレート状で、アイドルの写真やキャラクター画像等が付されており、チェーン等により鞄などに取り付けられたり、スタンドに取り付けて飾ったりする。一般にも販売されている。）を保持するための装飾具保持手段を例に説明する。なお、アクリルプレートは一例であり、他の装飾具でも適宜適用可能である。
【００６９】
まず、２枚のシート状部材の間にアクリルプレートを挟み、本体部の内部に挿入することが挙げられる。この場合、本体部の内部に挿入されたシート状部材のテンションにより、アクリルプレートが保持され得る。シート状部材は本体部の内部に挿入されたときにテンション（張り）を生じるように構成する。ここでは、シート状部材が装飾保持手段となる。
【００７０】
この場合、アクリルプレートをシート状部材に留めるように構成する。具体的には、図１２に示されるように、シート状部材にも孔（３９）を設け、アクリルプレート（３４）をシート状部材に挟んだ状態で、シート状部材とアクリルプレートの孔にボルト・ナットなど（限定されない）の留め具（４０）で留める。アクリルプレートにチェーン等の留め具を通す孔が設けられている場合（アクリルキーホルダー用のプレートの場合）はこれを利用できる。シート状部材とアクリルプレートを留め具で留める前の状態が図１２（Ｂ）に示され、留めた後の状態が図１２（Ｃ）に示され、留めた後のものを本体部（２０）に取り付けた状態が図１２（Ｄ）に示されている。ここでのシート状部材は装飾具が視認できるものであり、一部または全部を透明とすることができる。
【００７１】
なお、本明細書に記載されているシート状部材の材質、厚さ、大きさ、形状、色彩は適宜決することができる。
【００７２】
装飾具保持手段の他の例が図９に示されている。この装飾具保持手段（２７）は、部品（２８）、部品（２９）から構成され、図９（Ａ）に示されるように、本体部の内側に対応する形状、大きさのフレーム（３０、３１）と、このフレームの内側全面に張られた透明のシート（透明シート。有色でもよい。）（３２、３３）から構成される。フレームの材質は適宜決することができる。透明シートの材質も適宜決することができ、例えば伸縮性のあるポリエチレンフィルムなどを用いることができる。
【００７３】
透明のシートが張られたフレームからなる部品（２８、２９）を用意し、透明シートどうしの間にアクリルプレート（３４）を配して、２つのフレームを合わせる。アクリルプレートは透明シートにより（透明シートに接着して）保持される。装飾具保持手段によりアクリルプレートが保持される状態が図９（Ｂ）に示されている。このようにしてアクリルプレートを保持した装飾具保持手段を、本体部に挿入して使用する。図９（Ｃ）に、装飾具保持手段（２７）が本体部（２０）の内側に挿入され、この本体部（２０）が把持部（２）に取り付けられた状態が示されている。
【００７４】
装飾具保持手段の他の一例が図１０に示されている。この装飾具保持手段（３５）は、図１０（Ａ）に示されるように、部品（３６）、部品（３７）から構成されており、本体部の内側に対応する形状、大きさの、装飾具が視認できるケースとなる。一部または全部を透明（有色でもよい）とすることができる。ここではプレート状であるアクリルプレート（３４）を保持することから、薄型のケースとしている。ケースの材質も適宜決することができ、例えばプラスチック樹脂製とすることができる。
【００７５】
図１０（Ｂ）に示されるように、部品（３６）、部品（３７）から構成されるケースの内部にアクリルプレート（３４）を入れて保持する。この状態でケースを本体部に挿入して使用する。このようにしてアクリルプレートを保持した装飾具保持手段（３５）を、本体部に挿入して使用する。図１０（Ｃ）に、装飾具保持手段（３５）が本体部（２０）の内側に挿入され、この本体部（２０）が把持部（２）に取り付けられた状態が示されている。
【００７６】
この場合、アクリルプレートをケースの内側の所定の位置に固定する手段を設けるのが好適である。具体的には、図１３（Ａ）に示されるような固定部材（４２）を用いる。固定部材はケースに着脱自在となるように構成する。例えばケース（３６、３７）がプラスチック樹脂製である場合、固定部材（４２）は弾性を有する樹脂製等とする。ケースに接する面（少なくとも一方のケースに接する面）に粘着材を有すると、ケースに対する接着性が増し、好ましい。図１３（Ｂ）（Ｃ）に示されるように、ユーザーは固定部材（４２）とアクリルプレート（３４）をケースの一方の部品（３７）の内側に適宜配置し、ケースの他方の部品（３６）を一方の部品（３７）と合わせる。このようにしてセットされたケース（３６、３７）を本体部（２０）に取り付けた状態が図１３（Ｄ）に示されている。
【００７７】
上記の固定部材（４２）は、図１４に示されるように、シート状部材を装飾保持手段とする場合にも用いることができる。ユーザーは固定部材（４２）とアクリルプレート（３４）をシート状部材に配し（図１４（Ａ）（Ｂ）参照）、本体部（２０）に取り付ける（図１４（Ｃ））。
【００７８】
以上の構成は、適宜組み合わせて用いることも可能である。例えば、図１５に示されるように、図１３の例においてケースの両側にシート状部材（４７、４８）を配するように構成してもよい。図１５（Ａ）は本体部（２０）にセットする前の状態が示され、図１５（Ｂ）はセット後の状態が示されている。図９、図１０、図１２〜図１４の例においてもシート状部材との組み合わせが可能である。
【００７９】
以上のような装飾具保持手段を用いれば、イベント用発光具の使用者は、発光部の内部に保持しにくい（内部において固定されにくい）装飾具であっても、発光部内部において保持することが可能となる。
【００８０】
使用者は、イベント用発光具をイベントで使用しないときも、発光部の内側に自己の好みの装飾具を挿入して楽しむことができる一方、イベント用発光具をイベント会場で使用する時には、必要に応じ、挿入した装飾具を取り出して通常通り使用することも可能である。
【産業上の利用可能性】
【００８１】
本発明によれば、各ユーザー（需要者）がイベント用発光具に対しこれまで加えることができなかった変更（カスタマイズ）を、イベント用発光具の機能や安全性を損なうことなく、実現できることとなる。
【００８２】
一方、供給側においては、本発明は、イベントやコンサートで単に発光させて使用するといった従来の使用方法に加え、発光具の新たな需要を創出しつつ、これに応えるものとなる。
【００８３】
特に、感染症の拡大防止等のためイベント会場やコンサート会場に来場できず、イベント用発光具を使用できる機会が少なくなるような場合においても、イベント用発光具の用途が得られることとなる。
【００８４】
このように、本発明は、需要者、供給者の双方の利益に資するものであり、当業界における産業上の利用可能性は極めて高い。
【符号の説明】
【００８５】
１、１６、２０、６１  本体部
２  把持部
３  接合部
４、５  一組の部品
６、７  一組の部品
８、９、１０、１１、４４、４５  接着部
１２、１３、２５、３８  維持手段
１４  装飾具
１５  台座
１７  下部蓋
１８、１９  ハート型の部品
２１、２２、４３  略ハート形状のシート状部材
２３  補助溝
２６  開口部
２７、３５  装飾具保持手段
２８、２９  装飾具保持手段（２７）としての部品
３０、３１  フレーム
３２、３３  透明シート
２４  維持手段（２５）の螺合の部分
３４  アクリルプレート
３６、３７  装飾具保持手段（３５）としての部品
３９  孔
４０  留め具
４１  連結部材
４２  固定部材
４６  吊り下げ手段
４９、５０、５１  一組の３つの部品
５２、５３、５４、５５  一組の４つの部品
５６  螺子
５７  突起
５８  連結した部分
５９、６０  一組の２つの部品
６２  凹部
【要約】
【課題】  各ユーザーが自己のイベント用発光具につき発光部において独自の装飾を施すことができる構成を提供することである。
【解決手段】  イベント用発光具の発光部であって、内側に空間を有する本体部を有する。前記本体部は把持部に対して着脱可能である接合部を有すると共に、２つ以上の部品から構成され、これらの部品は相互に当接する接着部を有する。前記本体部が前記接合部において前記把持部に取り付けられたときに前記２つ以上の部品が前記接着部において当接して１つの発光部が形成される。前記発光部は、前記接着部が当接した状態を維持する維持手段を有する。前記本体部の内側には、装飾具を保持するための装飾具保持手段を備えることもできる。
【選択図】  図１【図１】
0006839428.tif 000002
【図２】
0006839428.tif 000003
【図３】
0006839428.tif 000004
【図４】
0006839428.tif 000005
【図５】
0006839428.tif 000006
【図６】
0006839428.tif 000007
【図７】
0006839428.tif 000008
【図８】
0006839428.tif 000009
【図９】
0006839428.tif 000010
【図１０】
0006839428.tif 000011
【図１１】
0006839428.tif 000012
【図１２】
0006839428.tif 000013
【図１３】
0006839428.tif 000014
【図１４】
0006839428.tif 000015
【図１５】
0006839428.tif 000016
【図１６】
0006839428.tif 000017
【図１７】
0006839428.tif 000018
【図１８】
0006839428.tif 000019
【図１９】
0006839428.tif 000020